(57)【要約】【課題】第１蓄電部から第２蓄電部への給電経路の開放を検知することができる電源システムを提供する。【解決手段】電源システム１では、ＤＣ／ＤＣコンバータ２０が変圧を停止している間、バッテリ１１（第１蓄電部）は、スイッチ２１がオフである状態でダイオードＤ１及び抵抗Ｒ２を介して、蓄電装置１２（第２蓄電部）と、蓄電器２２（第３蓄電部）とを給電する。このとき、ダイオードＤ２は蓄電器２２から蓄電装置１２及び負荷１３への放電を防止している。負荷１３は蓄電装置１２によって給電される。電圧検出部２３は蓄電器２２の端子電圧を経時的に検出する。制御部２６は、ＤＣ／ＤＣコンバータ２０が変圧を停止している間、電圧検出部２３が検出した電圧が一定であるか又は時間の経過と共に低下している場合にバッテリ１１から蓄電装置１２及び蓄電器２２への給電経路の開放を検知する。【選択図】図１
2015220927.tif 000002
【特許請求の範囲】
【請求項１】
第１蓄電部と、該第１蓄電部によって給電される第２蓄電部と、該第２蓄電部によって給電される負荷とを備える電源システムにおいて、
前記第１蓄電部によって給電される第３蓄電部と、
該第３蓄電部から前記第２蓄電部及び負荷への放電を防止する放電防止手段と、
前記第３蓄電部の端子電圧を経時的に検出する電圧検出手段と、
該電圧検出手段が検出した電圧が一定であるか又は時間の経過と共に低下している場合に前記第１蓄電部から前記第２蓄電部及び第３蓄電部への給電経路の開放を検知する検知手段と
を備えることを特徴とする電源システム。
【請求項２】
前記検知手段が前記開放を検知した場合に報知を行う報知手段を更に備えることを特徴とする請求項１に記載の電源システム。
【請求項３】
前記放電防止手段はダイオードであること
を特徴とする請求項１又は請求項２に記載の電源システム。
【請求項４】
前記第１蓄電部から前記第２蓄電部及び第３蓄電部への第２の給電経路と、
該第２の給電経路に設けられ、前記第１蓄電部が出力した電圧を変圧し、変圧した電圧を前記第２蓄電部及び第３蓄電部に出力する変圧回路と、
該変圧回路が作動した場合に、前記放電防止手段が行っている前記放電の防止を解除する解除手段と
を備え、
前記放電防止手段は、前記変圧回路の変圧が停止した場合に前記放電を防止し、
前記検知手段は、前記変圧回路の変圧が停止する前に電圧検出手段が検出した電圧が、前記変圧回路が作動してから前記解除手段が前記放電の防止を解除するまでに電圧検出手段が検出した電圧以上である場合に、前記給電経路の開放を検知するように構成してあること
を特徴とする請求項１から請求項３のいずれか１つに記載の電源システム。
【請求項５】
前記変圧回路は、前記第２蓄電部の端子電圧が所定電圧以下となるまで、前記第２蓄電部及び第３蓄電部が出力した電圧を変圧し、変圧した電圧を前記第１蓄電部に出力した後に変圧を停止するように構成してあること
を特徴とする請求項４に記載の電源システム。
【発明の詳細な説明】
【技術分野】
【０００１】
本発明は、第１蓄電部、例えばバッテリから、電気二重層キャパシタ又はリチウムイオン電池等の第２蓄電部に給電され、第２蓄電部が負荷に給電する電源システムに関する。
【背景技術】
【０００２】
車両に搭載される電源システムとして、第１蓄電部に加えて第２蓄電部を備える電源システムが普及している。第２蓄電部は、例えば、車両が減速している場合に車両の運動エネルギーを変換することによって得られた回生電力を急速に蓄えることが可能に構成されている。第２蓄電部は負荷に給電する。
【０００３】
負荷の作動が停止している間、例えば、車両のイグニッションスイッチがオフである間、第２蓄電部は自然放電を行い、第２蓄電部が蓄えている電力は徐々に低下する。
【０００４】
特許文献１には、バッテリが蓄えている電力が自然放電によって低下し続けることを防止する構成が開示されている。この構成では、自然放電によってバッテリが蓄えている電力が低下した場合、低下した電力だけバッテリによって新たに供給される。
【先行技術文献】
【特許文献】
【０００５】
【特許文献１】特開２００１−１９７６７７号公報
【発明の概要】
【発明が解決しようとする課題】
【０００６】
第１蓄電部及び第２蓄電部を備える前述の電源システムに、特許文献１に記載の構成を適用した場合においては、自然放電によって第２蓄電部が蓄えている電力が低下したとき、低下した電力だけ第１蓄電部から第２蓄電部へ供給される。
【０００７】
以上のように特許文献１に記載の構成が適用された電源システムでは、第１蓄電部から第２蓄電部への給電経路が開放した場合、該給電経路の開放を検知し、例えば使用者に給電経路の開放を報知する必要がある。しかしながら、特許文献１に記載の構成では、給電経路の開放について考慮されていないので、特許文献１に記載の構成が適用された電源システムには、第１蓄電部から第２蓄電部への給電経路の開放を検知することができないという問題がある。
【０００８】
本発明は斯かる事情に鑑みてなされたものであり、その目的とするところは、第１蓄電部から第２蓄電部への給電経路の開放を検知することができる電源システムを提供することにある。
【課題を解決するための手段】
【０００９】
本発明に係る電源システムは、第１蓄電部と、該第１蓄電部によって給電される第２蓄電部と、該第２蓄電部によって給電される負荷とを備える電源システムにおいて、前記第１蓄電部によって給電される第３蓄電部と、該第３蓄電部から前記第２蓄電部及び負荷への放電を防止する放電防止手段と、前記第３蓄電部の端子電圧を経時的に検出する電圧検出手段と、該電圧検出手段が検出した電圧が一定であるか又は時間の経過と共に低下している場合に前記第１蓄電部から前記第２蓄電部及び第３蓄電部への給電経路の開放を検知する検知手段とを備えることを特徴とする。
【００１０】
本発明にあっては、第２蓄電部と、第３蓄電部、例えばセラミック製のコンデンサとは第１蓄電部によって給電され、負荷は第２蓄電部によって給電される。第３蓄電部から第２蓄電部及び負荷への放電は防止されている。第３蓄電部の端子電圧を経時的に検出する。経時的に検出した第３蓄電部の端子電圧が一定であるか又は時間の経過と共に低下している場合、第１蓄電部から第２蓄電部及び第３蓄電部への給電経路の開放を検知する。
第１蓄電部から第２蓄電部及び第３蓄電部への給電経路が開放してある場合、第３蓄電部が充電されることはないため、第３蓄電部の端子電圧は一定であるか、又は、第３蓄電部の自然放電によって時間の経過と共に低下する。このため、第３蓄電部の端子電圧が一定であるか又は時間の経過と共に低下しているかに基づいて、給電経路の開放が検知される。
【００１１】
また、第１蓄電部が第２蓄電部及び第３蓄電部を充電している間に負荷が作動した場合、第２蓄電部の端子電圧は低下する。しかしながら、第３蓄電部の端子電圧は、第３蓄電部から第２蓄電部及び負荷への放電は防止されているため、低下しない。従って、負荷の作動によって、誤って第１蓄電部から第２蓄電部及び第３蓄電部への給電経路の開放を検知することはない。
【００１２】
本発明に係る電源システムは、前記検知手段が前記開放を検知した場合に報知を行う報知手段を更に備えることを特徴とする。
【００１３】
本発明にあっては、第１蓄電部から第２蓄電部及び第３蓄電部への給電経路の開放を検知した場合、報知が行われるので、使用者に、開放してある給電経路の修理を促すことが可能となる。
【００１４】
本発明に係る電源システムは、前記放電防止手段はダイオードであることを特徴とする。
【００１５】
本発明にあっては、ダイオードによって第３蓄電部から第２蓄電部及び負荷への放電が防止されるので、簡単な構成で放電が防止される。
【００１６】
本発明に係る電源システムは、前記第１蓄電部から前記第２蓄電部及び第３蓄電部への第２の給電経路と、該第２の給電経路に設けられ、前記第１蓄電部が出力した電圧を変圧し、変圧した電圧を前記第２蓄電部及び第３蓄電部に出力する変圧回路と、該変圧回路が作動した場合に、前記放電防止手段が行っている前記放電の防止を解除する解除手段とを備え、前記放電防止手段は、前記変圧回路の変圧が停止した場合に前記放電を防止し、前記検知手段は、前記変圧回路の変圧が停止する前に電圧検出手段が検出した電圧が、前記変圧回路が作動してから前記解除手段が前記放電の防止を解除するまでに電圧検出手段が検出した電圧以上である場合に、前記給電経路の開放を検知するように構成してあることを特徴とする。
【００１７】
本発明にあっては、第１蓄電部から第２蓄電部及び第３蓄電部への第２の給電経路に変圧回路が設けられており、変圧回路は、第１蓄電部が出力した電圧を変圧し、変圧した電圧を第２蓄電部及び第３蓄電部に出力する。変圧回路が作動した場合、第３蓄電部から第２蓄電部及び負荷への放電の防止が解除され、第３蓄電部から第２蓄電部及び負荷へ給電される。変圧回路の変圧が停止した場合、第３蓄電部から第２蓄電部及び負荷への放電が防止され、第２蓄電部及び第３蓄電部は給電経路を介して第１蓄電部から給電される。
【００１８】
このため、第１蓄電部から第２蓄電部及び第３蓄電部への給電経路を介して給電が正常に行われている場合、変圧回路の変圧が停止している間、第３蓄電部の端子電圧は上昇する。第１蓄電部から第２蓄電部及び第３蓄電部への給電経路が開放している場合、変圧回路の変圧が停止している間、第３蓄電部の端子電圧は一定であるか、又は、第３蓄電部の自然放電によって時間の経過と共に低下する。
従って、変圧回路の変圧が停止する前に検出した第３蓄電部の端子電圧が、変圧回路が作動してから放電の防止が解除されるまでに検出した第３蓄電部の端子電圧以上である場合に、給電経路の開放が検知される。
【００１９】
本発明に係る電源システムは、前記変圧回路は、前記第２蓄電部の端子電圧が所定電圧以下となるまで、前記第２蓄電部及び第３蓄電部が出力した電圧を変圧し、変圧した電圧を前記第１蓄電部に出力した後に変圧を停止するように構成してあることを特徴とする。
【００２０】
本発明にあっては、変圧回路は、作動を停止する前に、第２蓄電部の端子電圧が所定電圧以下となるまで、第２蓄電部及び第３蓄電部が出力した電圧を変圧し、変圧した電圧を第１蓄電部に出力する。このため、変圧回路の変圧が停止した時点において、第３蓄電部の端子電圧が第１蓄電部の端子電圧未満である状態を確実に作り出すことが可能となる。これにより、より正確に給電経路の開放が検知される。
【発明の効果】
【００２１】
本発明によれば、第１蓄電部から第２蓄電部への給電経路の開放を検知することができる。
【図面の簡単な説明】
【００２２】
【図１】実施の形態１における電源システムの要部構成を示すブロック図である。
【図２】ＤＣ／ＤＣコンバータが行う変圧停止処理の手順を示すフローチャートである。
【図３】制御部が実行する動作の手順を示すフローチャートである。
【図４】第１給電経路を介して正常に給電が行われている場合における蓄電装置及び蓄電器夫々の端子電圧の推移を示すグラフである。
【図５】第１給電経路を介して正常に給電が行われている場合における蓄電装置及び蓄電器夫々の端子電圧の推移を示す他のグラフである。
【図６】第１給電経路が開放してある場合における蓄電装置及び蓄電器夫々の端子電圧の推移を示すグラフである。
【図７】第１給電経路が開放してある場合における蓄電装置及び蓄電器夫々の端子電圧の推移を示す他のグラフである。
【図８】実施の形態２における制御部が実行する動作の手順を示すフローチャートである。
【発明を実施するための形態】
【００２３】
以下、本発明をその実施の形態を示す図面に基づいて詳述する。
（実施の形態１）
図１は実施の形態１における電源システム１の要部構成を示すブロック図である。電源システム１は、好適に車両に搭載され、給電制御装置１０、バッテリ１１、蓄電装置１２、負荷１３及び抵抗Ｒ１を備える。給電制御装置１０は、第１端、第２端及び第３端を有する。給電制御装置１０の第１端はバッテリ１１の正極に接続され、給電制御装置１０の第２端は負荷１３及び抵抗Ｒ１夫々の一端に接続されている。抵抗Ｒ１の他端は蓄電装置１２の正極に接続され、蓄電装置１２及び抵抗Ｒ１間の接続ノードは給電制御装置１０の第３端に接続されている。バッテリ１１及び蓄電装置１２夫々の負極と負荷１３の他端とは接地されている。
【００２４】
バッテリ１１は、例えば鉛蓄電池であり、図示しない発電機によって充電される。バッテリ１１は、給電制御装置１０を介して蓄電装置１２に給電する。
給電制御装置１０は、バッテリ１１から蓄電装置１２への給電を制御する。
【００２５】
蓄電装置１２は、電気二重層キャパシタ又はリチウムイオン電池等であり、蓄電装置１２には電圧がバッテリ１１から給電制御装置１０を介して印加される。これにより、蓄電装置１２は給電される。蓄電装置１２は負荷１３に給電する。バッテリ１１は第１蓄電部として機能し、蓄電装置１２は第２蓄電部として機能する。
負荷１３は、車載機器であり、蓄電装置１２が蓄えている電力を用いてごく短い期間作動する。
【００２６】
給電制御装置１０は、ＤＣ／ＤＣコンバータ２０、スイッチ２１、蓄電器２２、電圧検出部２３、記憶部２４、報知部２５、制御部２６、ダイオードＤ１，Ｄ２及び抵抗Ｒ２，Ｒ３を有する。ＤＣ／ＤＣコンバータ２０は第１端、第２端、第３端及び第４端を有する。蓄電器２２は例えばセラミック製のコンデンサである。
【００２７】
ＤＣ／ＤＣコンバータ２０の第１端と、ダイオードＤ１のアノードとはバッテリ１１の正極に接続されている。ダイオードＤ１のカソードは抵抗Ｒ２の一端に接続され、ＤＣ／ＤＣコンバータ２０の第２端と抵抗Ｒ２の他端とは負荷１３及び抵抗Ｒ１夫々の一端に接続されている。ＤＣ／ＤＣコンバータ２０の第３端は蓄電装置１２及び抵抗Ｒ１間の接続ノードに接続され、ＤＣ／ＤＣコンバータ２０の第４端は接地されている。
【００２８】
スイッチ２１の一端、及び、ダイオードＤ２のアノード夫々は、ＤＣ／ＤＣコンバータ２０の第２端と、抵抗Ｒ２の他端とに接続されている。ダイオードＤ２のカソードは抵抗Ｒ３の一端に接続され、スイッチ２１及び抵抗Ｒ３夫々の他端は蓄電器２２の正極に接続され、蓄電器２２の負極は接地されている。蓄電器２２の正極には、電圧検出部２３が更に接続されており、電圧検出部２３、記憶部２４及び報知部２５夫々は制御部２６に各別に接続されている。電圧検出部２３は接地もされている。
【００２９】
電源システム１は、バッテリ１１から蓄電装置１２及び蓄電器２２への給電経路として、第１給電経路及び第２給電経路を備える。第１給電経路は、バッテリ１１がダイオードＤ１及び抵抗Ｒ２を介して蓄電装置１２及び蓄電器２２に給電する給電経路である。第２給電経路は、バッテリ１１がＤＣ／ＤＣコンバータ２０を介して蓄電装置１２及び蓄電器２２に給電する給電経路である。
蓄電器２２は第３蓄電部として機能し、第１給電経路は特許請求の範囲における給電経路に相当し、第２給電経路は特許請求の範囲における第２の給電経路に相当する。
【００３０】
第２給電経路に設けられたＤＣ／ＤＣコンバータ２０は、図示しないコイル、及び、一又は複数のスイッチを有しており、一又は複数のスイッチを各別にオン／オフすることによって、バッテリ１１が出力した電圧の変圧と、蓄電装置１２及び蓄電器２２が出力した電圧の変圧とを能動的に行う。スイッチ２１は、ＤＣ／ＤＣコンバータ２０が作動した場合にオフからオンに切替えられ、ＤＣ／ＤＣコンバータ２０の作動が停止した場合にオンからオフに切替えられる。
【００３１】
ＤＣ／ＤＣコンバータ２０には、変圧の開始を指示する開始信号が入力される。開始信号は、例えば車両のイグニッションスイッチのオンを指示する信号である。
【００３２】
ＤＣ／ＤＣコンバータ２０は、開始信号が入力された場合、変圧を開始する。ＤＣ／ＤＣコンバータ２０は、例えば、発電機が発電している場合、バッテリ１１が出力している電圧を所定の第１電圧に変圧し、第１電圧を第２端から蓄電装置１２及び蓄電器２２に出力する。このとき、蓄電装置１２には、抵抗Ｒ１を介して第１電圧が印加され、蓄電器２２には、スイッチ２１を介して第１電圧が印加される。このように、蓄電装置１２及び蓄電器２２はバッテリ１１によって給電される。ＤＣ／ＤＣコンバータ２０は変圧回路として機能する。
【００３３】
更に、ＤＣ／ＤＣコンバータ２０は、例えば、バッテリ１１の端子電圧、即ち、バッテリ１１の両端間の電圧が低い場合、蓄電装置１２及び蓄電器２２が出力した電圧を所定の第２電圧に変圧し、第２電圧を第１端からバッテリ１１に印加する。これにより、バッテリ１１が給電される。
【００３４】
ＤＣ／ＤＣコンバータ２０が作動している場合においては、ＤＣ／ＤＣコンバータ２０の第１端及び第２端間のインピーダンスは、ダイオードＤ１のアノード及び抵抗Ｒ２の他端間のインピーダンスよりも十分に小さい。従って、ＤＣ／ＤＣコンバータ２０が作動している場合においては、ダイオードＤ１及び抵抗Ｒ２間を流れる電流の量は、ＤＣ／ＤＣコンバータ２０の第１端及び第２端間を流れる電流の量と比較して十分に少ない。このため、ＤＣ／ＤＣコンバータ２０を介したバッテリ１１から蓄電装置１２及び蓄電器２２への給電が支配的であり、ダイオードＤ１及び抵抗Ｒ２を介してバッテリ１１から蓄電装置１２及び蓄電器２２に供給される電力は無視できる程度に小さい。
【００３５】
ＤＣ／ＤＣコンバータ２０には、開始信号の他に、変圧の停止を指示する停止信号が入力される。停止信号は、例えば車両のイグニッションスイッチのオフを指示する信号である。
ＤＣ／ＤＣコンバータ２０は、蓄電装置１２の端子電圧、具体的には、蓄電装置１２の両端間の電圧を検出する。ＤＣ／ＤＣコンバータ２０は、停止信号が入力された場合、蓄電装置１２の端子電圧に基づいて、変圧を停止するための変圧停止処理を行う。ＤＣ／ＤＣコンバータ２０は、変圧停止処理において、変圧の停止が完了したことを示す完了信号を制御部２６に出力する。
【００３６】
ＤＣ／ＤＣコンバータ２０が変圧を停止している状態では、ＤＣ／ＤＣコンバータ２０の第１端及び第２端は開放されており、前述したようにスイッチ２１はオフである。このため、蓄電装置１２は、バッテリ１１からダイオードＤ１及び抵抗Ｒ２，Ｒ１を介して給電され、蓄電器２２は、バッテリ１１からダイオードＤ１、抵抗Ｒ２、ダイオードＤ２及び抵抗Ｒ３を介して給電される。
【００３７】
負荷１３は、ＤＣ／ＤＣコンバータ２０が作動する前、言い換えると、ＤＣ／ＤＣコンバータ２０が停止している間に作動することが可能に構成されている。ＤＣ／ＤＣコンバータ２０が停止している間に、負荷１３がごく短い期間作動した場合、負荷１３は蓄電装置１２から抵抗Ｒ１を介して給電され、蓄電装置１２の端子電圧は低下する。ここで、給電制御装置１０はダイオードＤ２を有しているため、蓄電器２２から蓄電装置１２及び負荷１３へ給電することはない。ダイオードＤ２は、ＤＣ／ＤＣコンバータ２０が変圧を停止した場合に蓄電器２２から蓄電装置１２及び負荷１３への放電を防止する。ダイオードＤ２は放電防止手段として機能する。
給電制御装置１０では、ダイオードＤ２を用いた簡単な構成で蓄電器２２から蓄電装置１２及び負荷１３への放電が防止される。
【００３８】
電圧検出部２３は蓄電器２２の端子電圧、具体的には蓄電器２２の両端間の電圧を経時的に検出する。電圧検出部２３が検出した電圧は、電圧検出部２３から制御部２６によって読み込まれる。電圧検出部２３は電圧検出手段として機能する。
記憶部２４には、電圧検出部２３が検出した端子電圧を示す電圧情報が記憶されてあり、記憶部２４に記憶してある電圧情報は制御部２６によって更新される。また、記憶部２４に記憶してある電圧情報は制御部２６によって読み出される。記憶部２４は、例えば不揮発性のメモリであり、制御部２６が動作を停止している場合であっても、記憶内容を保持する。
【００３９】
報知部２５は、制御部２６の指示に従って報知を行う。報知部２５は、図示しないランプの点灯、又は、図示しない表示部へのメッセージの表示等を行うことによって報知を行う。
【００４０】
制御部２６にも、ＤＣ／ＤＣコンバータ２０と同様に、開始信号が外部から入力される。制御部２６は、動作を停止している状態で開始信号が入力された場合、言い換えると、ＤＣ／ＤＣコンバータ２０が作動した場合に、起動し、スイッチ２１をオンにする。これにより、スイッチ２１は、ダイオードＤ２が行っている蓄電器２２からの放電の防止を解除する。スイッチ２１は解除手段として機能する。
【００４１】
制御部２６には、ＤＣ／ＤＣコンバータ２０から完了信号が入力される。制御部２６は、完了信号が入力された場合、言い換えると、ＤＣ／ＤＣコンバータ２０が変圧を停止した場合、スイッチ２１をオフにし、動作を停止する。
制御部２６は、更に、電圧検出部２３が検出した電圧と、記憶部２４に記憶してある内容とに基づいて第１給電経路の開放を検知する。制御部２６は、第１給電経路の開放を検知した場合、報知部２５に報知を行わせる。報知部２５は報知手段として機能する。
なお、第１給電経路の開放は、例えば抵抗Ｒ２の両端間の開放である。
【００４２】
図２はＤＣ／ＤＣコンバータ２０が行う変圧停止処理の手順を示すフローチャートである。前述したように、ＤＣ／ＤＣコンバータ２０は、停止信号が入力された場合に変圧停止処理を行う。ＤＣ／ＤＣコンバータ２０が変圧停止処理を行っている間、スイッチ２１はオンとなっている。まず、ＤＣ／ＤＣコンバータ２０は、蓄電装置１２の端子電圧が、予め設定されている基準電圧以下であるか否かを判定する（ステップＳ１）。
【００４３】
ＤＣ／ＤＣコンバータ２０は、蓄電装置１２の端子電圧が基準電圧を超えていると判定した場合（Ｓ１：ＮＯ）、蓄電装置１２及び蓄電器２２の電力をバッテリ１１に供給する（ステップＳ２）。具体的には、ＤＣ／ＤＣコンバータ２０は、蓄電装置１２及び蓄電器２２が出力している電圧を第２電圧に変圧し、第２電圧をバッテリ１１に出力する。これにより、ＤＣ／ＤＣコンバータ２０は、蓄電装置１２からバッテリ１１への給電を実現している。
【００４４】
ＤＣ／ＤＣコンバータ２０は、ステップＳ２を実行した後、処理をステップＳ１に戻す。ＤＣ／ＤＣコンバータ２０は、蓄電装置１２の端子電圧が基準電圧以下となるまで、ステップＳ２を繰り返し実行し、蓄電装置１２及び蓄電器２２の電力をバッテリ１１に供給し続ける。
【００４５】
ＤＣ／ＤＣコンバータ２０は、蓄電装置１２の端子電圧が基準電圧以下であると判定した場合（Ｓ１：ＹＥＳ）、変圧を停止し（ステップＳ３）、完了信号を制御部２６に出力し（ステップＳ４）、変圧停止処理を終了する。ＤＣ／ＤＣコンバータ２０がステップＳ３で変圧を停止した場合、前述したように、ＤＣ／ＤＣコンバータ２０の第１端及び第２端間は開放されている。
【００４６】
以上のように、ＤＣ／ＤＣコンバータ２０は、蓄電装置１２の端子電圧が基準電圧以下となるまで、蓄電装置１２及び蓄電器２２が出力した電圧を第２電圧に変圧し、第２電圧をバッテリ１１に出力する。ＤＣ／ＤＣコンバータ２０は、蓄電装置１２の端子電圧が基準電圧以下となった後、変圧を停止する。このため、ＤＣ／ＤＣコンバータ２０の変圧を停止した時点において、蓄電器２２の端子電圧がバッテリ１１の端子電圧未満である状態を確実に作り出すことができる。
【００４７】
図３は、制御部２６が実行する動作の手順を示すフローチャートである。制御部２６は、前述したように、開始信号が入力された場合に起動し、完了信号が入力された場合にスイッチ２１をオフにした後、動作を停止する。開始信号が入力された場合、制御部２６は、スイッチ２１がオフである状態で蓄電器２２の端子電圧を電圧検出部２３から読込み（ステップＳ１１）、記憶部２４に記憶してある電圧情報を読出す（ステップＳ１２）。
【００４８】
後述するように、完了信号が制御部２６に入力されるまで、電圧検出部２３は蓄電器２２の端子電圧を繰り返し検出し、制御部２６は、電圧検出部２３が検出した端子電圧を繰り返し読込む。制御部２６は、電圧検出部２３から端子電圧を読込む都度、記憶部２４に記憶してある電圧情報が示す端子電圧を、読込んだ端子電圧に更新する。従って、ステップＳ１２で読み出される電圧情報が示す端子電圧は、ＤＣ／ＤＣコンバータ２０の変圧が停止する前に電圧検出部２３が検出した最新の端子電圧である。
【００４９】
次に、制御部２６は、ステップＳ１１で読込んだ蓄電器２２の端子電圧と、ステップＳ１２で読み出した電圧情報が示す端子電圧とに基づいて第１給電経路が開放してあるか否かを判定する（ステップＳ１３）。第１給電経路が開放しておらず、第１給電経路を介して給電が正常に行われている状態では、ＤＣ／ＤＣコンバータ２０が変圧を停止している間、蓄電器２２はバッテリ１１によって給電され、蓄電器２２の端子電圧は時間の経過と共に上昇する。
【００５０】
制御部２６は、ＤＣ／ＤＣコンバータ２０が変圧を停止している場合において、電圧検出部２３が検出した蓄電器２２の端子電圧が、時間の経過に拘らずに一定であるか、又は、時間の経過と共に低下しているときに第１給電経路の開放を検知する。
具体的には、制御部２６は、ステップＳ１２で読出した電圧情報が示す蓄電器２２の端子電圧が、ステップＳ１１で読込んだ蓄電器２２の端子電圧以上である場合、第１給電経路の開放を検知し、第１給電経路は開放してあると判定する。制御部２６は検知手段として機能する。
【００５１】
また、制御部２６は、ステップＳ１２で読出した電圧情報が示す蓄電器２２の端子電圧が、ステップＳ１１で読込んだ蓄電器２２の端子電圧未満である場合、第１給電経路が開放していないと判定する。
【００５２】
制御部２６は、第１給電経路が開放してあると判定した場合、即ち、第１給電経路の開放を検知した場合（Ｓ１３：ＹＥＳ）、報知部２５に指示して、報知を行わせる（ステップＳ１４）。これにより、制御部２６は、使用者に、開放してある第１給電経路の修理を促すことができる。報知部２５はランプの点灯又はメッセージの表示によって第１給電経路の開放を報知する。
【００５３】
制御部２６は、第１給電経路が開放していないと判定した場合（Ｓ１３：ＮＯ）、又は、ステップＳ１４を実行した後、スイッチ２１をオンにする（ステップＳ１５）。スイッチ２１のオンによって、前述したように、ダイオードＤ２が行っている放電の防止が解除される。また、開始信号は、制御部２６と共にＤＣ／ＤＣコンバータ２０にも入力されているため、制御部２６がステップＳ１５を実行した時点ではＤＣ／ＤＣコンバータ２０は既に作動している。このため、前述したように、スイッチ２１を介した蓄電器２２への充電と蓄電器２２からの放電が行われる。
【００５４】
次に、制御部２６は、電圧検出部２３から蓄電器２２の端子電圧を読込み（ステップＳ１６）、記憶部２４に記憶してある電圧情報が示す蓄電器２２の端子電圧を、読込んだ蓄電器２２の端子電圧に更新する（ステップＳ１７）。その後、制御部２６は、外部から完了信号が入力されたか否かを判定する（ステップＳ１８）。
【００５５】
制御部２６は、完了信号が入力されていないと判定した場合（Ｓ１８：ＮＯ）、処理をステップＳ１６に戻す。制御部２６は、完了信号が入力されるまで、即ち、ＤＣ／ＤＣコンバータ２０が変圧の停止を完了するまで端子電圧の読込みと、記憶部２４に記憶してある電圧情報が示す端子電圧の更新とを繰り返す。制御部２６がステップＳ１６を繰り返す都度、電圧検出部２３は蓄電器２２の端子電圧を繰り返し検出している。このように電圧検出部２３は蓄電器２２の端子電圧を経時的に検出している。
【００５６】
制御部２６は、完了信号が入力されたと判定した場合（Ｓ１８：ＹＥＳ）、スイッチ２１をオフにする（ステップＳ１９）。従って、ＤＣ／ＤＣコンバータ２０が変圧を停止して完了信号が制御部２６に入力された場合、ダイオードＤ２は、再び、蓄電器２２から蓄電装置１２及び負荷１３への放電を防止する。
制御部２６は、ステップＳ１９を実行した後、動作を終了する。制御部２６は、再び外部から開始信号が入力された場合にステップＳ１１を実行する。
【００５７】
以上のように、制御部２６は、ＤＣ／ＤＣコンバータ２０の変圧が停止する前に電圧検出部２３が検出した最新の端子電圧が、ＤＣ／ＤＣコンバータ２０が作動してからスイッチ２１がオンとなるまでに電圧検出部２３が検出した電圧以上である場合に第１給電経路の開放を検知する。前述したように、ＤＣ／ＤＣコンバータ２０は、蓄電装置１２の端子電圧が基準電圧以下となるまで、蓄電装置１２が蓄えている電力をバッテリ１１に供給した後、変圧を停止するので、制御部２６はより正確に第１給電経路の開放を検出することができる。
【００５８】
図４は第１給電経路を介して正常に給電が行われている場合における蓄電装置１２及び蓄電器２２夫々の端子電圧の推移を示すグラフである。ＤＣ／ＤＣコンバータ２０が変圧を停止している間に負荷１３が作動しなかった場合におけるＤＣ／ＤＣコンバータ２０及び制御部２６の動作を、図４を用いて説明する。
【００５９】
図４では、最初、ＤＣ／ＤＣコンバータ２０が第１電圧を蓄電装置１２及び蓄電器２２に出力して蓄電装置１２及び蓄電器２２夫々の端子電圧が一定となっている。蓄電装置１２及び蓄電器２２夫々の端子電圧が一定である状態で停止信号がＤＣ／ＤＣコンバータ２０に入力した場合、ＤＣ／ＤＣコンバータ２０は、前述したように、蓄電装置１２及び蓄電器２２が蓄えた電力をバッテリ１１に供給する。これにより、蓄電装置１２及び蓄電器２２夫々の端子電圧は時間の経過と共に低下する。蓄電装置１２の端子電圧が基準電圧以下となった場合、ＤＣ／ＤＣコンバータ２０は制御部２６に完了信号を出力して変圧を停止し、制御部２６はスイッチ２１をオフにする。
【００６０】
蓄電装置１２及び蓄電器２２夫々の端子電圧が低下している間、電圧検出部２３は蓄電器２２の端子電圧を繰り返し検出し、制御部２６は、電圧検出部２３が検出した端子電圧を繰り返し読込む。制御部２６は、端子電圧を読込む都度、記憶部２４に記憶してある電圧情報が示す端子電圧を更新する。制御部２６は、スイッチ２１をオフにした後、動作を停止する。
【００６１】
ＤＣ／ＤＣコンバータ２０が変圧を停止している間、バッテリ１１からダイオードＤ１及び抵抗Ｒ２を介して蓄電装置１２及び蓄電器２２に給電され、蓄電装置１２及び蓄電器２２夫々の端子電圧は徐々に上昇する。
【００６２】
開始信号がＤＣ／ＤＣコンバータ２０及び制御部２６に入力された場合、ＤＣ／ＤＣコンバータ２０は作動し、バッテリ１１が出力した電圧を第１電圧に変圧し、第１電圧を蓄電装置１２及び蓄電器２２に印加する。これにより、蓄電装置１２及び蓄電器２２夫々の端子電圧は、ＤＣ／ＤＣコンバータ２０が変圧を停止している間に第１給電経路を介してバッテリ１１から蓄電装置１２及び蓄電器２２に給電した場合よりも速い速度で上昇する。
【００６３】
開始信号が入力された制御部２６は電圧検出部２３から蓄電器２２の端子電圧を読込む。ここで、記憶部２４に記憶してある電圧情報が示す端子電圧は、制御部２６が読込んだ端子電圧未満であるため、制御部２６は、第１給電経路が開放しておらず、第１給電経路を介して給電が正常に行われていると適正に判定する。制御部２６は、第１給電経路が開放してあるか否かを判定した後、スイッチ２１をオンにする。
【００６４】
その後、図４においては、ＤＣ／ＤＣコンバータ２０が第１電圧を蓄電装置１２及び蓄電器２２に出力し続け、蓄電装置１２及び蓄電器２２夫々の端子電圧は所定の電圧で一定となる。
スイッチ２１がオンとなった後、再び、電圧検出部２３は蓄電器２２の端子電圧を繰り返し検出し、制御部２６は、電圧検出部２３が検出した端子電圧を繰り返し読込み、記憶部２４に記憶してある電圧情報が示す端子電圧を、読込んだ端子電圧に更新し続ける。
【００６５】
図４に示すように、蓄電装置１２及び蓄電器２２の端子電圧が推移する場合においては、電圧検出部２３が蓄電器２２ではなく蓄電装置１２の端子電圧を検出する構成であっても、制御部２６は第１給電経路を介して給電が正常に行われていると適正に判定することができる。
【００６６】
図５は、第１給電経路を介して正常に給電が行われている場合における蓄電装置１２及び蓄電器２２夫々の端子電圧の推移を示す他のグラフである。ＤＣ／ＤＣコンバータ２０が変圧を停止している間に負荷１３が作動した場合におけるＤＣ／ＤＣコンバータ２０及び制御部２６の動作を、図５を用いて説明する。
【００６７】
蓄電装置１２及び蓄電器２２夫々について、ＤＣ／ＤＣコンバータ２０が変圧を行っている状態で制御部２６がスイッチ２１をオフにするまで、端子電圧は、図４と同様に推移する。更に、制御部２６がスイッチ２１をオフにするまで、電圧検出部２３及び制御部２６夫々は、ＤＣ／ＤＣコンバータ２０が変圧を停止している間に負荷１３が作動しなかった場合と同様に動作する。
【００６８】
ＤＣ／ＤＣコンバータ２０が変圧を停止している状態で、蓄電装置１２及び蓄電器２２夫々の端子電圧が徐々に上昇している間に、負荷１３がごく短い期間作動した場合、蓄電装置１２は負荷１３に給電し、蓄電装置１２の端子電圧は低下する。このとき、スイッチ２１はオフとなっているため、蓄電器２２から蓄電装置１２及び負荷１３への放電はダイオードＤ２によって防止されている。
【００６９】
負荷１３の作動によって蓄電装置１２の端子電圧が低下した場合、ダイオードＤ２において、カソードの電圧がアノードの電圧よりも高くなる。このため、蓄電装置１２の端子電圧が低下した後、蓄電装置１２の端子電圧が一定電圧以上となるまで、バッテリ１１は第１給電経路を介して蓄電装置１２を給電し、蓄電器２２を給電することはない。このため、蓄電装置１２の端子電圧のみが徐々に上昇する。蓄電装置１２の端子電圧が一定電圧以上となるまで、蓄電器２２は、蓄えた電荷を保持し、蓄電器２２の端子電圧は一定である。
【００７０】
開始信号がＤＣ／ＤＣコンバータ２０及び制御部２６に入力された場合、ＤＣ／ＤＣコンバータ２０は作動し、バッテリ１１が出力した電圧を第１電圧に変圧し、第１電圧を蓄電装置１２に印加する。これにより、蓄電装置１２の端子電圧は、ＤＣ／ＤＣコンバータ２０が変圧を停止している間に第１給電経路を介してバッテリ１１から蓄電装置１２に給電した場合よりも速い速度で上昇する。図５では、蓄電装置１２の端子電圧は一定電圧に到達していないため、開始信号がＤＣ／ＤＣコンバータ２０及び制御部２６に入力された時点では、蓄電器２２の端子電圧は一定のままである。
【００７１】
開始信号が入力された制御部２６は電圧検出部２３から蓄電器２２の端子電圧を読込む。ここで、記憶部２４に記憶してある電圧情報が示す端子電圧は、制御部２６が読込んだ端子電圧未満であるため、制御部２６は、第１給電経路が開放しておらず、第１給電経路を介して給電が正常に行われていると適正に判定する。制御部２６は、第１給電経路が開放してあるか否かを判定した後、スイッチ２１をオンにする。
【００７２】
なお、蓄電器２２が自然放電を行う場合、負荷１３がごく短い期間作動した後、蓄電器２２の端子電圧は徐々に低下する。この場合、自然放電による端子電圧の低下速度が、自然放電による蓄電装置１２の端子電圧の低下速度よりも十分に遅い蓄電器２２、より具体的には、自然放電によって単位時間当たりに低下する端子電圧の幅が無視することができる程度に小さい蓄電器２２を用いる。これにより、第１給電経路が開放してあるか否かが制御部２６によって適正に判定される。
【００７３】
スイッチ２１がオンになった後、図５においては、ＤＣ／ＤＣコンバータ２０が第１電圧を蓄電装置１２及び蓄電器２２に向けて出力し続ける。蓄電装置１２の端子電圧が一定電圧に到達した後、蓄電器２２にも第１電圧が出力され、蓄電器２２の端子電圧も上昇する。蓄電装置１２及び蓄電器２２夫々の端子電圧は所定の電圧で一定となる。
スイッチ２１がオンとなった後、再び、電圧検出部２３は蓄電器２２の端子電圧を繰り返し検出し、制御部２６は、電圧検出部２３が検出した端子電圧を繰り返し読込み、記憶部２４に記憶してある電圧情報が示す端子電圧を、読込んだ端子電圧に更新し続ける。
【００７４】
図５に示すように、蓄電装置１２及び蓄電器２２の端子電圧が推移する場合においては、電圧検出部２３が蓄電器２２ではなく蓄電装置１２の端子電圧を検出する構成であるとき、制御部２６は第１給電経路の開放を誤って検知する。これは、記憶部２４に記憶してある電圧情報が示す端子電圧が、ＤＣ／ＤＣコンバータ２０が変圧を開始してから制御部２６がスイッチ２１をオンにするまでに制御部２６が読込んだ端子電圧以上となるためである。
【００７５】
図５に示すように蓄電装置１２及び蓄電器２２の端子電圧が推移した場合であっても、電圧検出部２３が蓄電器２２の端子電圧を検出する電源システム１では、制御部２６は、第１給電経路が開放しておらず、第１給電経路を介して給電が正常に行われていると適正に判定する。このため、制御部２６は負荷１３の作動によって誤って第１給電経路の開放を検知することはない。
【００７６】
図６は第１給電経路が開放してある場合における蓄電装置１２及び蓄電器２２夫々の端子電圧の推移を示すグラフである。ＤＣ／ＤＣコンバータ２０が変圧を停止している間に負荷１３が作動しなかった場合におけるＤＣ／ＤＣコンバータ２０及び制御部２６の動作を、図６を用いて説明する。
【００７７】
蓄電装置１２及び蓄電器２２夫々について、ＤＣ／ＤＣコンバータ２０が変圧を行っている状態で制御部２６がスイッチ２１をオフにするまで、端子電圧は、図４又は図５と同様に推移する。更に、ＤＣ／ＤＣコンバータ２０が変圧を行っている状態で制御部２６がスイッチ２１をオフにするまで、電圧検出部２３及び制御部２６夫々は、第１給電経路を介して給電が正常に行われている場合と同様に動作する。
【００７８】
ＤＣ／ＤＣコンバータ２０が変圧を停止して制御部２６がスイッチ２１をオフにした後、第１給電経路が開放してあるので、バッテリ１１から蓄電装置１２及び蓄電器２２は給電されることはない。このため、蓄電装置１２は自然放電を行い、蓄電装置１２の端子電圧は徐々に低下する。蓄電器２２は、蓄えた電荷を保持し、蓄電器２２の端子電圧は一定である。
【００７９】
開始信号がＤＣ／ＤＣコンバータ２０及び制御部２６に入力された場合、ＤＣ／ＤＣコンバータ２０は作動し、バッテリ１１が出力した電圧を第１電圧に変圧し、第１電圧を蓄電装置１２に印加する。これにより、蓄電装置１２の端子電圧は上昇する。蓄電装置１２の端子電圧は一定電圧未満であるため、開始信号がＤＣ／ＤＣコンバータ２０及び制御部２６に入力された時点では、蓄電器２２の端子電圧は一定のままである。
【００８０】
開始信号が入力された制御部２６は電圧検出部２３から蓄電器２２の端子電圧を読込む。ここで、記憶部２４に記憶してある電圧情報が示す端子電圧は、制御部２６が読込んだ端子電圧以上であるため、制御部２６は第１給電経路の開放を正確に検知し、第１給電経路が開放してあると適正に判定する。
なお、蓄電器２２が自然放電を行う場合、第１給電経路が開放してある状態では蓄電器２２の端子電圧は徐々に低下する。この場合であっても、記憶部２４に記憶してある電圧情報が示す端子電圧は、制御部２６が読込んだ端子電圧以上となるので、第１給電経路の開放を正確に検知することができる。
【００８１】
例えば、制御部２６がスイッチ２１をオフすると略同時に蓄電器２２の端子電圧を電圧検出部２３から読込んだ場合、記憶部２４に記憶してある電圧情報が示す端子電圧は、制御部２６が読込んだ端子電圧と略一致する。制御部２６は、第１給電経路が開放してあるか否かを判定した後、スイッチ２１をオンにする。
【００８２】
その後、図６においては、ＤＣ／ＤＣコンバータ２０が第１電圧を蓄電装置１２及び蓄電器２２に向けて出力し続ける。蓄電装置１２の端子電圧が一定電圧に到達した後、蓄電器２２にも第１電圧が出力され、蓄電器２２の端子電圧も上昇する。蓄電装置１２及び蓄電器２２夫々の端子電圧は所定の電圧で一定となる。
スイッチ２１がオンとなった後、再び、電圧検出部２３は蓄電器２２の端子電圧を繰り返し検出し、制御部２６は、電圧検出部２３が検出した端子電圧を繰り返し読込み、記憶部２４に記憶してある電圧情報が示す端子電圧を、読込んだ端子電圧に更新し続ける。
【００８３】
図７は第１給電経路が開放してある場合における蓄電装置１２及び蓄電器２２夫々の端子電圧の推移を示す他のグラフである。ＤＣ／ＤＣコンバータ２０が変圧を停止している間に負荷１３が作動した場合におけるＤＣ／ＤＣコンバータ２０及び制御部２６の動作を、図７を用いて説明する。
【００８４】
蓄電装置１２及び蓄電器２２夫々について、ＤＣ／ＤＣコンバータ２０が変圧を行っている状態で制御部２６がスイッチ２１をオフにするまで、端子電圧は、図４又は図５と同様に推移する。更に、ＤＣ／ＤＣコンバータ２０が変圧を行っている状態で制御部２６がスイッチ２１をオフにするまで、電圧検出部２３及び制御部２６夫々は、第１給電経路を介して給電が正常に行われている場合と同様に動作する。
【００８５】
ＤＣ／ＤＣコンバータ２０が変圧を停止して制御部２６がスイッチ２１をオフにした後、第１給電経路が開放してあるので、バッテリ１１から蓄電装置１２及び蓄電器２２は給電されることはない。このため、蓄電装置１２は自然放電を行い、蓄電装置１２の端子電圧は徐々に低下する。蓄電器２２は、蓄えた電荷を保持し、蓄電器２２の端子電圧は一定である。
【００８６】
ＤＣ／ＤＣコンバータ２０が変圧を停止している状態で、蓄電装置１２の端子電圧が徐々に低下して蓄電器２２の端子電圧が一定である間に、負荷１３がごく短い期間作動した場合、蓄電装置１２は負荷１３に給電し、蓄電装置１２の端子電圧は低下する。このとき、スイッチ２１はオフとなっているため、蓄電器２２から蓄電装置１２及び負荷１３への放電はダイオードＤ２によって防止されている。
負荷１３が作動した後においても、蓄電装置１２の端子電圧は自然放電によって徐々に低下し、蓄電器２２の端子電圧は一定のままである。
【００８７】
開始信号がＤＣ／ＤＣコンバータ２０及び制御部２６に入力された場合、ＤＣ／ＤＣコンバータ２０は作動し、バッテリ１１が出力した電圧を第１電圧に変圧し、第１電圧を蓄電装置１２に印加する。これにより、蓄電装置１２の端子電圧は上昇する。蓄電装置１２の端子電圧は一定電圧未満であるため、開始信号がＤＣ／ＤＣコンバータ２０及び制御部２６に入力された時点では、蓄電器２２の端子電圧は一定のままである。
【００８８】
開始信号が入力された制御部２６は電圧検出部２３から蓄電器２２の端子電圧を読込む。ここで、記憶部２４に記憶してある電圧情報が示す端子電圧は、制御部２６が読込んだ端子電圧以上であるため、制御部２６は第１給電経路の開放を正確に検知し、第１給電経路が開放してあると適正に判定する。
なお、蓄電器２２が自然放電を行う場合、第１給電経路が開放してある状態では蓄電器２２の端子電圧は低下する。この場合であっても、記憶部２４に記憶してある電圧情報が示す端子電圧は、制御部２６が読込んだ端子電圧以上となるので、第１給電経路の開放を正確に検知することができる。
【００８９】
例えば、制御部２６がスイッチ２１をオフすると略同時に蓄電器２２の端子電圧を電圧検出部２３から読込んだ場合、記憶部２４に記憶してある電圧情報が示す端子電圧は、制御部２６が読込んだ端子電圧と略一致する。制御部２６は、第１給電経路が開放してあるか否かを判定した後、スイッチ２１をオンにする。
【００９０】
その後、図７においては、ＤＣ／ＤＣコンバータ２０が第１電圧を蓄電装置１２及び蓄電器２２に向けて出力し続ける。蓄電装置１２の端子電圧が一定電圧に到達した後、蓄電器２２にも第１電圧が出力され、蓄電器２２の端子電圧も上昇する。
スイッチ２１がオンとなった後、再び、電圧検出部２３は蓄電器２２の端子電圧を繰り返し検出し、制御部２６は、電圧検出部２３が検出した端子電圧を繰り返し読込み、記憶部２４に記憶してある電圧情報が示す端子電圧を、読込んだ端子電圧に更新し続ける。
【００９１】
（実施の形態２）
実施の形態１では、ＤＣ／ＤＣコンバータ２０が変圧を行っている間、電圧検出部２３は蓄電器２２の端子電圧を繰り返し検出し、制御部２６は、電圧検出部２３が検出した端子電圧を読込み、記憶部２４に記憶してある電圧情報が示す端子電圧を繰り返し更新している。しかしながら、制御部２６は、開始信号が入力されてからスイッチ２１をオンにするまでに蓄電器２２の端子電圧を１回読込み、完了信号が入力されてからスイッチ２１をオフにするまでに蓄電器２２の端子電圧を１回読込むように構成されてもよい。
以下では、実施の形態２について、実施の形態１と異なる点を説明する。後述する構成を除く他の構成については、実施の形態１と同様であるため、同様の符号を付してその説明を省略する。
【００９２】
実施の形態２においては、実施形態１と比較して、制御部２６が実行する動作の手順が異なっている。他の部分については実施の形態１と同様である。
【００９３】
図８は実施の形態２における制御部２６が実行する動作の手順を示すフローチャートである。制御部２６は実施の形態１と同様に開始信号が入力された場合に動作を開始する。実施の形態２における制御部２６が実行するステップＳ２１からＳ２５夫々は、実施の形態１における制御部２６が実行するステップＳ１１からＳ１５（図３参照）と同様であるので、ステップＳ２１からＳ２５の詳細な説明を省略する。
なお、ステップＳ２２において、制御部２６が記憶部２４から読出す電圧情報が示す蓄電器２２の端子電圧は、後述するように、完了信号が制御部２６に入力された後に制御部２６が電圧検出部２３から読込んだ最新の端子電圧である。
【００９４】
制御部２６は、ステップＳ２５を実行した後、外部から完了信号が入力されたか否かを判定する（ステップＳ２６）。制御部２６は、完了信号が入力されていないと判定した場合（Ｓ２６：ＮＯ）、処理をステップＳ２６に戻し、完了信号が入力されるまで待機する。
【００９５】
制御部２６は、完了信号が入力されたと判定した場合（Ｓ２６：ＹＥＳ）、電圧検出部２３から蓄電器２２の端子電圧を読込み（ステップＳ２７）、記憶部２４に記憶してある電圧情報が示す蓄電器２２の端子電圧を、読込んだ蓄電器２２の端子電圧に更新する（ステップＳ２８）。その後、制御部２６は、スイッチ２１をオフにし（ステップＳ２９）、動作を終了する。制御部２６は、再び外部から開始信号が入力された場合にステップＳ２１を実行する。電圧検出部２３は、制御部２６がステップＳ２７を実行する都度、蓄電器２２の端子電圧を検出している。
【００９６】
以上のように制御部２６が処理を実行した場合、蓄電装置１２の端子電圧が基準電圧以下となってＤＣ／ＤＣコンバータ２０が制御部２６に完了信号を出力した後に、制御部２６は蓄電器２２の端子電圧を電圧検出部２３から読込み、記憶部２４に記憶してある電圧情報が示す端子電圧を、読込んだ端子電圧に更新する。従って、実施の形態２における制御部２６は、蓄電装置１２及び蓄電器２２夫々の端子電圧が図４から図７に示すように推移した場合、スイッチ２１をオフにすると略同時に蓄電器２２の端子電圧を読込み、記憶部２４に記憶してある電圧情報が示す端子電圧を、読込んだ端子電圧に更新する。
【００９７】
更に、実施の形態２における制御部２６は、開始信号が入力されてからスイッチ２１をオンにするまでに、蓄電器２２の端子電圧を電圧検出部２３から読込み、読込んだ端子電圧と、記憶部２４に記憶してある電圧情報が示す端子電圧とに基づいて、実施の形態１と同様に第１給電経路の開放を検知し、第１給電経路が開放してあるか否かを判定する。
【００９８】
実施の形態２における制御部２６が第１給電経路の開放を検知する構成は実施の形態１と同様であり、制御部２６を除く他の構成部は実施の形態１と同様に動作するため、実施の形態２における電源システム１は実施の形態１における電源システム１と同様の効果を奏する。
【００９９】
なお、ＤＣ／ＤＣコンバータ２０は、蓄電装置１２の端子電圧が基準電圧以下となるまで、蓄電装置１２及び蓄電器２２が出力した電圧を第２電圧に変圧し、第２電圧をバッテリ１１に出力した後に変圧を停止する構成に限定されない。例えば、ＤＣ／ＤＣコンバータ２０が、バッテリ１１が出力した電圧を第１電圧に降圧し、第１電圧を蓄電装置１２及び蓄電器２２に出力するように構成してある場合、ＤＣ／ＤＣコンバータ２０が変圧を停止したとき蓄電器２２の端子電圧はバッテリ１１の端子電圧よりも低い。この場合、蓄電装置１２の端子電圧が基準電圧以下となるまで、蓄電装置１２及び蓄電器２２が出力した電圧を第２電圧に変圧し、第２電圧をバッテリ１１に印加する必要はない。
【０１００】
また、第１給電経路の開放を検知する構成を適用することが可能な電源システムは、ＤＣ／ＤＣコンバータ２０を備える電源システム１に限定されない。バッテリ１１から蓄電装置１２に徐々に充電する電源システム、言い換えると、バッテリ１１が蓄電装置１２に対してトリクル充電を行う電源システムに、給電経路の開放を検知する構成を適用することができる。この場合、バッテリ１１から蓄電装置１２への給電経路にダイオードＤ２のアノードが接続され、ダイオードＤ２、抵抗Ｒ３及び蓄電器２２が電源システム１と同様に接続される。そして、電圧検出部２３は蓄電器２２の端子電圧を経時的に検出し、制御部２６は、蓄電器２２の端子電圧が時間の経過に拘らず一定であるか又は時間の経過と共に低下している場合に第１給電経路の開放を検知する。
【０１０１】
また、ダイオードＤ２の代わりに、蓄電器２２から蓄電装置１２及び負荷１３への給電を防止する他の構成部を用いてもよい。
更に、バッテリ１１は蓄電機能を有していればよい。このため、バッテリ１１の代わりに例えばコンデンサを用いてもよい。
【０１０２】
開示された実施の形態１及び２は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１０３】
１  電源システム
１１  バッテリ（第１蓄電部）
１２  蓄電装置（第２蓄電部）
１３  負荷
２０  ＤＣ／ＤＣコンバータ（変圧回路）
２１  スイッチ（解除手段）
２２  蓄電器（第３蓄電部）
２３  電圧検出部（電圧検出手段）
２５  報知部（報知手段）
２６  制御部（検知手段）
Ｄ２  ダイオード（放電防止手段）
【図１】
2015220927.tif 000003
【図２】
2015220927.tif 000004
【図３】
2015220927.tif 000005
【図４】
2015220927.tif 000006
【図５】
2015220927.tif 000007
【図６】
2015220927.tif 000008
【図７】
2015220927.tif 000009
【図８】
2015220927.tif 000010